【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
被写体の画像のデータと、該画像に付加された複数のアノテーションのデータと、を取得する取得手段と、
前記画像を拡大縮小する場合の表示倍率の指定を受け付ける入力手段と、
前記指定される表示倍率で拡大した前記画像の上に前記アノテーションが重ねて表示される表示データを生成する生成手段と、
を備え、
前記複数のアノテーションのデータは、各アノテーションが付加されている画像中の位置を示す位置情報と、各アノテーションが付加されたときの画像の表示倍率の情報と、を含み、
前記生成手段は、第１の表示倍率で表示された画像に付加された第１のアノテーションの表示態様と、第２の表示倍率で表示された画像に付加された第２のアノテーションの表示態様とが異なる表示データを生成する画像処理装置。
【請求項２】
前記生成手段は、付加されたときの画像の表示倍率が前記指定される表示倍率と異なるアノテーションと同じアノテーションとでアノテーションの表示態様を異ならせた表示データを生成する請求項１に記載の画像処理装置。
【請求項３】
前記入力手段は、前記画像の上に重ねて表示されたアノテーションのうちのいずれかを選択する指示を受け付け、
前記生成手段は、前記入力手段が前記選択する指示を受け付けた場合、前記指示により選択されたアノテーションが付加されたときの画像の表示倍率で拡大した前記画像の上に前記選択されたアノテーションが重ねて表示される表示データを生成する請求項１または２に記載の画像処理装置。
【請求項４】
前記取得手段が取得する前記画像のデータは、解像度が段階的に異なる同じ被写体の複数の階層画像のデータを含み、
前記生成手段は、前記指定される表示倍率に応じた解像度の階層画像のデータを用いて、表示データを生成する請求項１〜３のいずれか１項に記載の画像処理装置。
【請求項５】
アノテーションが付加されたときの画像の表示倍率と、当該アノテーションが付加され
たときの画像中の位置と、各階層画像の解像度に対応する表示倍率と、に基づき、各階層画像の上に当該アノテーションを重ねて表示する場合の位置を算出し、当該アノテーションの情報と関連付けてリンク情報として記憶する記憶手段を備え、
前記生成手段は、前記リンク情報に基づき、前記指定される表示倍率に対応するアノテーションの位置を算出し、前記指定される表示倍率で拡大した前記画像の上の前記算出した位置にアノテーションが重ねて表示される表示データを生成する請求項４に記載の画像処理装置。
【請求項６】
光軸方向の焦点位置を変えながら被写体を撮像して得られる複数の深度画像のデータを含む被写体の画像のデータと、該画像に付加された複数のアノテーションのデータと、を取得する取得手段と、
焦点位置の指定を入力する入力手段と、
前記指定される焦点位置に対応する深度画像の上に前記アノテーションが重ねて表示される表示データを生成する生成手段と、
を備え、
前記複数のアノテーションのデータは、各アノテーションが付加されている画像中の位置を示す位置情報と、各アノテーションが付加されたときの画像の焦点位置の情報と、を含み、
前記生成手段は、前記指定される焦点位置と異なる焦点位置に対応する深度画像にアノテーションが付加されており、かつ、前記指定される焦点位置に対応する深度画像における当該アノテーションの座標に対応する位置の近傍の画像と、前記指定される焦点位置と異なる焦点位置に対応する深度画像における当該アノテーションの位置の近傍の画像と、の類似度が閾値以上である場合に、当該アノテーションが前記指定される焦点位置に対応する深度画像の上に重ねて表示される表示データを生成する画像処理装置。
【請求項７】
前記生成手段は、付加されたときの画像の焦点位置が前記指定される焦点位置と異なるアノテーションと同じアノテーションとでアノテーションの表示態様を異ならせた表示データを生成する請求項６に記載の画像処理装置。
【請求項８】
アノテーションが付加されたときの画像の焦点位置と、当該アノテーションが付加されたときの画像中の位置と、に基づき、各深度画像の上に当該アノテーションを重ねて表示する場合の位置を算出し、当該アノテーションの情報と関連付けてリンク情報として記憶する記憶手段を備え、
前記生成手段は、前記リンク情報に基づき、前記指定される焦点位置に対応するアノテーションの位置を算出し、前記指定される焦点位置の深度画像の上の前記算出した位置にアノテーションが重ねて表示される表示データを生成する請求項７に記載の画像処理装置。
【請求項９】
前記生成手段は、前記指定される焦点位置と異なる焦点位置に対応する深度画像にアノテーションが付加されている場合、当該アノテーションが前記指定される焦点位置に対応する深度画像の上に重ねて表示される表示データを生成する請求項６に記載の画像処理装置。
【請求項１０】
前記入力手段は、前記深度画像を拡大縮小する場合の表示倍率の指定を更に受け付け、
前記生成手段は、前記表示倍率が閾値以上である場合に、前記指定される焦点位置と異なる焦点位置に対応する深度画像に付加されたアノテーションが前記指定される焦点位置の深度画像の上に重ねて表示される表示データを生成する請求項９に記載の画像処理装置。
【請求項１１】
前記生成手段は、前記指定される焦点位置に対応する深度画像に付加されたアノテーシ
ョンと、前記指定される焦点位置と異なる焦点位置に対応する深度画像に付加されたアノテーションと、で表示態様を異ならせた表示データを生成する請求項９又は１０に記載の画像処理装置。
【請求項１２】
前記生成手段は、前記指定される焦点位置に対応する深度画像における前記アノテーションの座標に対応する位置の近傍の画像と、前記指定される焦点位置と異なる焦点位置に対応する深度画像における当該アノテーションの位置の近傍の画像と、を所定の範囲内でシフトさせて相関を求めることで類似度を判定し、相関が最も高くなるときのシフト量に基づいて、前記指定される焦点位置と異なる焦点位置に対応する深度画像に付加されたアノテーションを前記指定される焦点位置に対応する深度画像に表示させる位置を決める請求項６に記載の画像処理装置。
【請求項１３】
請求項１〜１２のいずれか１項に記載の画像処理装置と、前記画像処理装置から出力される表示データに基づく画像を表示する表示装置と、を備える画像処理システム。
【請求項１４】
被写体の画像のデータと、該画像に付加された複数のアノテーションのデータと、を取得する取得工程と、
前記画像を拡大縮小する場合の表示倍率の指定を受け付ける入力工程と、
前記指定される表示倍率で拡大した前記画像の上に前記アノテーションが重ねて表示される表示データを生成する生成工程と、
を備え、
前記複数のアノテーションのデータは、各アノテーションが付加されている画像中の位置を示す位置情報と、各アノテーションが付加されたときの画像の表示倍率の情報と、を含み、
前記生成工程は、第１の表示倍率で表示された画像に付加された第１のアノテーションの表示態様と、第２の表示倍率で表示された画像に付加された第２のアノテーションの表示態様とが異なる表示データを生成する画像処理装置の制御方法。
【請求項１５】
光軸方向の焦点位置を変えながら被写体を撮像して得られる複数の深度画像のデータを含む被写体の画像のデータと、該画像に付加された複数のアノテーションのデータと、を取得する取得工程と、
焦点位置の指定を入力する入力工程と、
前記指定される焦点位置に対応する深度画像の上に前記アノテーションが重ねて表示される表示データを生成する生成工程と、
を備え、
前記複数のアノテーションのデータは、各アノテーションが付加されている画像中の位置を示す位置情報と、各アノテーションが付加されたときの画像の焦点位置の情報と、を含み、
前記生成工程は、前記指定される焦点位置と異なる焦点位置に対応する深度画像にアノテーションが付加されており、かつ、前記指定される焦点位置に対応する深度画像における当該アノテーションの座標に対応する位置の近傍の画像と、前記指定される焦点位置と異なる焦点位置に対応する深度画像における当該アノテーションの位置の近傍の画像と、の類似度が閾値以上である場合に、当該アノテーションが前記指定される焦点位置に対応する深度画像の上に重ねて表示される表示データを生成する画像処理装置の制御方法。
【請求項１６】
請求項１４又は１５に記載の画像処理装置の制御方法の各工程をコンピュータに実行させるプログラム。
【手続補正２】
【補正対象書類名】明細書
【補正対象項目名】００１０
【補正方法】変更
【補正の内容】
【００１０】
本発明は、被写体の画像のデータと、該画像に付加された複数のアノテーションのデータと、を取得する取得手段と、
前記画像を拡大縮小する場合の表示倍率の指定を受け付ける入力手段と、
前記指定される表示倍率で拡大した前記画像の上に前記アノテーションが重ねて表示される表示データを生成する生成手段と、
を備え、
前記複数のアノテーションのデータは、各アノテーションが付加されている画像中の位置を示す位置情報と、各アノテーションが付加されたときの画像の表示倍率の情報と、を含み、
前記生成手段は、第１の表示倍率で表示された画像に付加された第１のアノテーションの表示態様と、第２の表示倍率で表示された画像に付加された第２のアノテーションの表示態様とが異なる表示データを生成する画像処理装置である。
【手続補正３】
【補正対象書類名】明細書
【補正対象項目名】００１１
【補正方法】変更
【補正の内容】
【００１１】
本発明は、光軸方向の焦点位置を変えながら被写体を撮像して得られる複数の深度画像のデータを含む被写体の画像のデータと、該画像に付加された複数のアノテーションのデータと、を取得する取得手段と、
焦点位置の指定を入力する入力手段と、
前記指定される焦点位置に対応する深度画像の上に前記アノテーションが重ねて表示される表示データを生成する生成手段と、
を備え、
前記複数のアノテーションのデータは、各アノテーションが付加されている画像中の位置を示す位置情報と、各アノテーションが付加されたときの画像の焦点位置の情報と、を含み、
前記生成手段は、前記指定される焦点位置と異なる焦点位置に対応する深度画像にアノテーションが付加されており、かつ、前記指定される焦点位置に対応する深度画像における当該アノテーションの座標に対応する位置の近傍の画像と、前記指定される焦点位置と異なる焦点位置に対応する深度画像における当該アノテーションの位置の近傍の画像と、の類似度が閾値以上である場合に、当該アノテーションが前記指定される焦点位置に対応する深度画像の上に重ねて表示される表示データを生成する画像処理装置である。
【手続補正４】
【補正対象書類名】明細書
【補正対象項目名】００１２
【補正方法】変更
【補正の内容】
【００１２】
本発明は、被写体の画像のデータと、該画像に付加された複数のアノテーションのデータと、を取得する取得工程と、
前記画像を拡大縮小する場合の表示倍率の指定を受け付ける入力工程と、
前記指定される表示倍率で拡大した前記画像の上に前記アノテーションが重ねて表示される表示データを生成する生成工程と、
を備え、
前記複数のアノテーションのデータは、各アノテーションが付加されている画像中の位
置を示す位置情報と、各アノテーションが付加されたときの画像の表示倍率の情報と、を含み、
前記生成工程は、第１の表示倍率で表示された画像に付加された第１のアノテーションの表示態様と、第２の表示倍率で表示された画像に付加された第２のアノテーションの表示態様とが異なる表示データを生成する画像処理装置の制御方法である。
【手続補正５】
【補正対象書類名】明細書
【補正対象項目名】００１３
【補正方法】変更
【補正の内容】
【００１３】
本発明は、光軸方向の焦点位置を変えながら被写体を撮像して得られる複数の深度画像のデータを含む被写体の画像のデータと、該画像に付加された複数のアノテーションのデータと、を取得する取得工程と、
焦点位置の指定を入力する入力工程と、
前記指定される焦点位置に対応する深度画像の上に前記アノテーションが重ねて表示される表示データを生成する生成工程と、
を備え、
前記複数のアノテーションのデータは、各アノテーションが付加されている画像中の位置を示す位置情報と、各アノテーションが付加されたときの画像の焦点位置の情報と、を含み、
前記生成工程は、前記指定される焦点位置と異なる焦点位置に対応する深度画像にアノテーションが付加されており、かつ、前記指定される焦点位置に対応する深度画像における当該アノテーションの座標に対応する位置の近傍の画像と、前記指定される焦点位置と異なる焦点位置に対応する深度画像における当該アノテーションの位置の近傍の画像と、の類似度が閾値以上である場合に、当該アノテーションが前記指定される焦点位置に対応する深度画像の上に重ねて表示される表示データを生成する画像処理装置の制御方法である。